(57)【要約】【課題】公衆無線ネットワークが利用できない状況にあっても、Ｗｅｂデータの取得を可能にし得る、無線通信端末、Ｗｅｂデータ共有システム、Ｗｅｂデータ共有方法、及びプログラムを提供する。【解決手段】Ｗｅｂデータ共有システム１００は、公衆無線ネットワーク３０を介して通信可能な無線通信端末１０及び２０を備えている。各無線通信端末は、公衆無線ネットワーク３０の通信状況を特定し、特定した通信状況が設定条件を満たしていない場合に、近距離通信方式によって、別の無線通信端末との通信を確立する。また、各無線通信端末は、近距離通信方式によって別の無線通信端末との通信が確立された場合に、別の無線通信端末に対して、それが保持しているＷｅｂページのデータを要求し、要求が認められた場合に、データを取得する。【選択図】図１
2015186025.tif 000002
【特許請求の範囲】
【請求項１】
公衆無線ネットワークを介して通信可能な無線通信端末であって、
前記公衆無線ネットワークの通信状況を特定し、特定した通信状況が設定条件を満たしていない場合に、近距離通信方式によって、別の無線通信端末との通信を確立する、通信制御部と、
前記近距離通信方式によって前記別の無線通信端末との通信が確立された場合に、前記別の無線通信端末に対して、それが保持しているＷｅｂページのデータを要求し、要求が認められた場合に、前記データを取得する、キャッシュデータ管理部と、
を備えていることを特徴とする無線通信端末。
【請求項２】
前記キャッシュデータ管理部は、近距離通信方式によって当該無線通信端末との間で通信を確立している他の無線通信端末から、当該無線通信端末が保持しているＷｅｂページのデータを要求された場合に、要求された前記データに対して共有を許可していることを条件に、要求を許可する、
請求項１に記載の無線通信端末。
【請求項３】
前記キャッシュデータ管理部は、当該無線通信端末がＷｅｂページから取得したデータに対して秘密保持が求められている場合は、前記秘密保持が求められているデータについては、共有を許可しない、
請求項２に記載の無線通信端末。
【請求項４】
前記キャッシュデータ管理部は、前記別の無線通信端末から取得した前記データのＷｅｂページが、当該無線通信端末が保持しているデータのＷｅｂページと一致する場合に、前記別の無線通信端末から取得した前記データの更新日時と当該無線通信端末が保持しているデータの更新日時とを比較し、
比較の結果、当該無線通信端末が保持しているデータの更新日時が新しい場合に、前記別の無線通信端末に対して、当該無線通信端末が保持しているデータを送信する、
請求項１〜３のいずれかに記載の無線通信端末。
【請求項５】
前記キャッシュデータ管理部が、要求を許可する場合に、更に、要求された前記データに対して構文解析を行って、関連するＷｅｂページを特定し、前記関連するＷｅｂページデータについても要求を許可する、
請求項２または３に記載の無線通信端末。
【請求項６】
前記設定条件が、当該無線通信端末が受信している電波についての条件、指定されたＷｅｂページを提供するＷｅｂサーバについての条件を含む、
請求項１〜５のいずれかに記載の無線通信端末。
【請求項７】
前記別の無線通信端末から取得したデータを用いて画面表示を行う場合に、画面上に、表示されるＷｅｂページが前記別の無線通信端末から取得されていることを提示する、画面表示部を更に備えている、
請求項１〜６のいずれかに記載の無線通信端末。
【請求項８】
公衆無線ネットワークを介して通信可能な複数の無線通信端末を備え、
前記複数の無線通信端末それぞれは、
前記公衆無線ネットワークの通信状況を特定し、特定した通信状況が設定条件を満たしていない場合に、近距離通信方式によって、別の無線通信端末との通信を確立し、
前記近距離通信方式によって前記別の無線通信端末との通信が確立された場合に、前記別の無線通信端末に対して、それが保持しているＷｅｂページのデータを要求し、要求が認められた場合に、前記データを取得する、
ことを特徴とするＷｅｂデータ共有システム。
【請求項９】
公衆無線ネットワークを介して通信可能な複数の無線通信端末を用いたＷｅｂデータの共有方法であって、
（ａ）前記複数の無線通信端末の少なくとも１つによって、前記公衆無線ネットワークの通信状況を特定し、特定した通信状況が設定条件を満たしていない場合に、近距離通信方式によって、別の無線通信端末との通信を確立する、ステップと、
（ｂ）前記複数の無線通信端末の少なくとも１つによって、前記近距離通信方式によって前記別の無線通信端末との通信が確立された場合に、前記別の無線通信端末に対して、それが保持しているＷｅｂページのデータを要求し、要求が認められた場合に、前記データを取得する、ステップと、
を有することを特徴とするＷｅｂデータ共有方法。
【請求項１０】
複数のコンピュータ間でＷｅｂデータを共有するためのプログラムであって、
前記複数のコンピュータの１つに、
（ａ）前記公衆無線ネットワークの通信状況を特定し、特定した通信状況が設定条件を満たしていない場合に、近距離通信方式によって、別のコンピュータとの通信を確立する、ステップと、
（ｂ）前記近距離通信方式によって前記別のコンピュータとの通信が確立された場合に、前記別のコンピュータに対して、それが保持しているＷｅｂページのデータを要求し、要求が認められた場合に、前記データを取得する、ステップと、
を実行させるプログラム。
【発明の詳細な説明】
【技術分野】
【０００１】
本発明は、公衆無線ネットワークに接続可能な無線通信端末、これを備えたＷｅｂデータ共有システム、Ｗｅｂデータ共有方法、及びこれらを実現するためのプログラムに関する。
【背景技術】
【０００２】
現在、携帯電話、スマートフォンといった無線通信端末の普及率は高く、多くのユーザは、無線通信端末を利用して、Ｗｅｂサイトにアクセスしている。但し、無線通信端末では、固定通信端末と異なり、通信状況等によってはＷｅｂサイトにアクセスできない状況に陥ることがある。
【０００３】
そのため、無線通信端末は、Ｗｅｂサイトにアクセスした際に、そのＷｅｂページのデータ（以下「Ｗｅｂデータ」と表記する。）を取得し、これをキャッシュメモリに保存することができる。この結果、ユーザは、通信状況が悪く、Ｗｅｂサイトにアクセスできない状況にあっても、キャッシュメモリに該当するＷｅｂデータが保存されていれば、アクセスしたいＷｅｂサイトの情報を取得することができる。
【０００４】
しかしながら、過去においてアクセスされていないＷｅｂサイト等については、キャッシュメモリにＷｅｂデータは保存されていないため、この方式では、ユーザは期待する情報を取得できないことがある。このため、例えば、特許文献１は、特定の無線通信端末においてＷｅｂデータを取得できない場合に、別の無線通信端末を介して、Ｗｅｂデータを取得できるようにするシステムを開示している。特許文献１に開示されたシステムによれば、ユーザは、通信状況が悪い場合、キャッシュメモリにＷｅｂデータが保存されていない場合であっても、アクセスしたいＷｅｂサイトの情報を取得することができる。
【先行技術文献】
【特許文献】
【０００５】
【特許文献１】特開２００２−１７６６７６号公報
【発明の概要】
【発明が解決しようとする課題】
【０００６】
ところで、無線通信端末は、携帯電話回線、公衆無線ＬＡＮ回線等の公衆無線ネットワークによって、Ｗｅｂサイトにアクセスするが、地震などの災害直後や、大勢の人が集まるイベント会場では、公衆無線ネットワークが全く利用できない状況になる可能性がある。このような状況では、いずれの無線通信端末も通信できないので、たとえ、特許文献１に開示されたシステムを利用しても、ユーザがアクセスしたいＷｅｂサイトの情報を取得することは不可能である。
【０００７】
本発明の目的の一例は、上記問題を解消し、公衆無線ネットワークが利用できない状況にあっても、Ｗｅｂデータの取得を可能にし得る、無線通信端末、Ｗｅｂデータ共有システム、Ｗｅｂデータ共有方法、及びプログラムを提供することにある。
【課題を解決するための手段】
【０００８】
上記目的を達成するため、本発明の一側面における無線通信端末は、公衆無線ネットワークを介して通信可能な無線通信端末であって、
前記公衆無線ネットワークの通信状況を特定し、特定した通信状況が設定条件を満たしていない場合に、近距離通信方式によって、別の無線通信端末との通信を確立する、通信制御部と、
前記近距離通信方式によって前記別の無線通信端末との通信が確立された場合に、前記別の無線通信端末に対して、それが保持しているＷｅｂページのデータを要求し、要求が認められた場合に、前記データを取得する、キャッシュデータ管理部と、
を備えていることを特徴とする。
【０００９】
上記目的を達成するため、本発明の一側面におけるＷｅｂデータ共有システムは、公衆無線ネットワークを介して通信可能な複数の無線通信端末を備え、
前記複数の無線通信端末それぞれは、
前記公衆無線ネットワークの通信状況を特定し、特定した通信状況が設定条件を満たしていない場合に、近距離通信方式によって、別の無線通信端末との通信を確立し、
前記近距離通信方式によって前記別の無線通信端末との通信が確立された場合に、前記別の無線通信端末に対して、それが保持しているＷｅｂページのデータを要求し、要求が認められた場合に、前記データを取得する、
ことを特徴とする。
【００１０】
また、上記目的を達成するため、本発明の一側面におけるＷｅｂデータ共有方法は、公衆無線ネットワークを介して通信可能な複数の無線通信端末を用いたＷｅｂデータの共有方法であって、
（ａ）前記複数の無線通信端末の少なくとも１つによって、前記公衆無線ネットワークの通信状況を特定し、特定した通信状況が設定条件を満たしていない場合に、近距離通信方式によって、別の無線通信端末との通信を確立する、ステップと、
（ｂ）前記複数の無線通信端末の少なくとも１つによって、前記近距離通信方式によって前記別の無線通信端末との通信が確立された場合に、前記別の無線通信端末に対して、それが保持しているＷｅｂページのデータを要求し、要求が認められた場合に、前記データを取得する、ステップと、
を有することを特徴とする。
【００１１】
更に、上記目的を達成するため、本発明の一側面におけるプログラムは、複数のコンピュータ間でＷｅｂデータを共有するためのプログラムであって、
前記複数のコンピュータの１つに、
（ａ）前記公衆無線ネットワークの通信状況を特定し、特定した通信状況が設定条件を満たしていない場合に、近距離通信方式によって、別のコンピュータとの通信を確立する、ステップと、
（ｂ）前記近距離通信方式によって前記別のコンピュータとの通信が確立された場合に、前記別のコンピュータに対して、それが保持しているＷｅｂページのデータを要求し、要求が認められた場合に、前記データを取得する、ステップと、
を実行させることを特徴とする。
【発明の効果】
【００１２】
以上の特徴により、本発明によれば、無線通信端末において、公衆無線ネットワークが利用できない状況にあっても、Ｗｅｂデータの取得が可能となる。
【図面の簡単な説明】
【００１３】
【図１】図１は、本発明の実施の形態におけるＷｅｂデータ共有システムの概略構成を示すブロック図である。
【図２】図２は、本発明の実施の形態における無線通信端末の構成を示すブロック図である。
【図３】図３は、本発明の実施の形態における無線通信端末の動作を示すフロー図である。
【図４】図４は、本発明の実施の形態におけるＷｅｂデータ共有システムの動作を示すシーケンス図である。
【図５】図５は、本発明の実施の形態における無線通信端末の物理的構成の一例を示すブロック図である。
【発明を実施するための形態】
【００１４】
（実施の形態）
以下、本発明の実施の形態における、無線通信端末、Ｗｅｂデータ共有システム、Ｗｅｂデータ共有方法、及びプログラムについて、図１〜図５を参照しながら説明する。
【００１５】
［システム構成及び装置構成］
最初に、図１を用いて、本発明の実施の形態におけるＷｅｂデータ共有システムの概略構成について説明する。図１は、本発明の実施の形態におけるＷｅｂデータ共有システムの概略構成を示すブロック図である。
【００１６】
図１に示すように、本実施の形態におけるＷｅｂデータ共有システム１００は、公衆無線ネットワーク３０を介して通信可能な無線通信端末１０及び２０を備えている。図１において、４０は、Ｗｅｂサイトを提供するＷｅｂサーバである。また、図１の例では、２台の無線通信端末のみが示されているが、本実施の形態では、無線通信端末の数は特に限定されることはない。
【００１７】
また、無線通信端末１０及び２０は、それぞれ、公衆無線ネットワーク３０の通信状況を特定し、特定した通信状況が設定した条件を満たしていない場合に、近距離通信方式によって、別の無線通信端末との通信を確立する。つまり、例えば、無線通信端末１０は、通信状況が設定した条件を満たしていない場合は、近距離通信方針によって無線通信端末２０と直接通信を行う。
【００１８】
更に、無線通信端末１０及び２０は、それぞれ、近距離通信方式によって別の無線通信端末との通信が確立された場合は、別の無線通信端末に対して、それが保持しているＷｅｂデータを要求し、要求が認められた場合に、このＷｅｂデータを取得する。
【００１９】
このように、本実施の形態では、公衆無線ネットワーク３０が全く利用できない状況となっても、各無線通信端末は、別の無線通信端末から、Ｗｅｂデータを取得することができる。
【００２０】
続いて、図２を用いて、本実施の形態における無線通信端末の構成について説明する。図２は、本発明の実施の形態における無線通信端末の構成を示すブロック図である。
【００２１】
図２に示すように、無線通信端末１０は、通信制御部１１と、キャッシュデータ管理部１２と、記憶部１３と、遠距離通信部１４と、短距離通信部１５と、画面表示部１６と、表示装置１７と、入力部１８とを備えている。また、無線通信端末２０は、通信制御部２１と、キャッシュデータ管理部２２と、記憶部２３と、遠距離通信部２４と、近距離通信部２５と、画面表示部２６と、表示装置２７と、入力部１８とを備えている。なお、本実施の形態では、無線通信端末１０と無線通信端末２０とは、実質的に同様の構成を備えているため、以下においては、無線通信端末１０を例に挙げて説明する。
【００２２】
入力部１８は、タッチパネル、キーボードといった入力デバイスである。遠距離通信部１４は、公衆無線ネットワーク３０を介して通信を行うための通信デバイスである。本実施の形態において、公衆無線ネットワーク３０としては、多数の基地局等で構築された携帯電話網、公衆無線ＬＡＮ（Local Area Network）等が挙げられる。近距離通信部１５は、近距離通信方式によって通信を行うための通信デバイスである。本実施の形態において、近距離通信方式としては、Ｂｌｕｅｔｏｏｔｈ（登録商標）、ＷｉＦｉ  Ｄｉｒｅｃｔ等が挙げられる。
【００２３】
通信制御部１１は、無線通信端末１０における通信を制御する。具体的には、通信制御部１１は、遠距離通信部１４によって通信を行っている際に、公衆無線ネットワークの通信状況を特定し、特定した通信状況が設定条件を満たしているかどうかを判定する。
【００２４】
この場合の「設定条件」には、例えば、無線通信端末１０が受信している電波についての条件、指定されたＷｅｂページを提供するＷｅｂサーバ４０についての条件が含まれる。前者の具体例としては、電波の強度が閾値以上であること、通信速度が閾値以上であること、接続される順位が一定の順位よりも上位にあること、が挙げられる。また、後者の具体例としては、無線通信端末１０が、リクエスト信号を送信してから一定時間内にＷｅｂ４０サーバからのレスポンス信号を受信していることが挙げられる。
【００２５】
また、通信制御部１１は、設定条件を満たしていない場合は、近距離通信部１５を用いた近距離通信方式によって、別の無線通信端末との通信を確立する。例えば、近距離通信方式としてＢｌｕｔｏｏｔｈが採用されているのであれば、通信制御部１１は、まず、この通信方式で規格されている周波数の電波を手がかりにして、周辺に存在する無線通信端末を探索する。そして、通信制御部１１は、探し出した無線通信端末との間に通信を確立する。
【００２６】
また、通信を確立した無線通信端末からのＷｅｂデータの取得が終了すると、通信制御部１１は、再度、無線通信端末の探索を実行し、新たに探し出した無線通信端末との間でも通信を確立する。なお、これらの処理は、周辺に存在する接続可能な無線通信端末の数だけ繰り返し実行される。
【００２７】
キャッシュデータ管理部１２は、近距離通信方式によって別の無線通信端末との通信が確立されると、この別の無線通信端末に対して、それが保持しているＷｅｂデータを要求し、要求が認められた場合は、Ｗｅｂデータを取得する。キャッシュデータ管理部１２は、取得したＷｅｂデータを記憶部１３に格納する。また、キャッシュデータ管理部１２は、無線通信端末１０から直接Ｗｅｂサイトにアクセスして取得したＷｅｂデータも、記憶部１３に格納する。
【００２８】
また、本実施の形態では、キャッシュ管理部１２は、通信制御部１１を介して、近距離通信方式によって通信が確立された別の無線通信端末に対して、Ｗｅｂデータを要求することができる。具体的には、公衆無線ネットワークの通信状況が設定条件を満たしていない場合は、通信制御部１１は、近距離通信方式によって、周辺の無線通信端末との間で通信を確立すると共に、Ｗｅｂデータを要求する。
【００２９】
また、キャッシュデータ管理部１２は、別の無線通信端末に対して、Ｗｅｂデータを要求する際に、要求対象となるＷｅｂデータの取得元のＷｅｂページ（ＵＲＬ）を指定することができる。この態様では、別の無線通信端末は、要求対象となるＷｅｂデータを保持している場合にのみ、Ｗｅｂデータを送信する。
【００３０】
更に、本実施の形態では、無線通信端末１０は、上記とは反対に、近距離通信方式によって通信を確立している無線通信端末２０から、無線通信端末１０が保持しているＷｅｂデータを要求されることがある。この場合、キャッシュデータ管理部１２は、要求されたデータに対して共有を許可していることを条件に、要求を許可することができる。
【００３１】
具体的には、キャッシュデータ管理部１２は、Ｗｅｂデータを、共有を許可しているＷｅｂデータ（共有Ｗｅｂデータ）１３ａと、共有を許可しないＷｅｂデータ（非共有Ｗｅｂデータ）１３ｂとに区別して、記憶部１３に格納している。キャッシュデータ管理部１２は、共有Ｗｅｂデータについてのみ要求を許可する。
【００３２】
また、キャッシュデータ管理部１２は、無線通信端末１０がＷｅｂサイトから直接取得したＷｅｂデータに対して秘密保持が求められている場合に、このＷｅｂデータを非共有Ｗｅｂデータに設定する。例えば、無線通信端末１０が、ＳＳＬによって暗号化されるＷｅｂページからＷｅｂデータを取得した場合、このＷｅｂデータは非共有Ｗｅｂデータに設定される。
【００３３】
また、キャッシュデータ管理部１２は、要求される側となる場合に、要求を許可するＷｅｂデータに対して、構文解析を行い、解析結果から、関連するＷｅｂページ、例えばリンクされているＷｅｂページを特定することもできる。この場合、キャッシュデータ管理部は、関連するＷｅｂページのＷｅｂデータについても、要求を許可することができる。この結果、Ｗｅｂサイト全体のＷｅｂデータが高速に取得されることになる。
【００３４】
更に、キャッシュデータ管理部１２は、要求する側となって、別の無線通信端末２０からＷｅｂデータを取得した場合は、取得したＷｅｂデータのＷｅｂページ（ＵＲＬ）が、無線通信端末１０が保持しているＷｅｂデータのＷｅｂページ（ＵＲＬ）と一致するかどうかを判定する。判定の結果、一致する場合は、キャッシュデータ管理部１２は、別の無線通信端末２０から取得したＷｅｂデータの更新日時と無線通信端末１０が保持しているＷｅｂデータの更新日時とを比較する。なお、ここでいう「更新日時」とは、ＷｅｂデータがＷｅｂページから取得された日時をいう。
【００３５】
そして、比較の結果、無線通信端末１０が保持しているＷｅｂデータの更新日時の方が新しい場合は、キャッシュデータ管理部１２は、別の無線通信端末２０に対して、無線通信端末１０が保持しているデータを送信することができる。この結果、無線通信端末１０の周辺に存在する無線通信端末においては、それが保持するＷｅｂデータは自動的に最新のものへと更新されることになる。
【００３６】
画面表示部１６は、記憶部１３に格納されているＷｅｂデータを、表示装置１７の画面上に表示する。また、画面表示部１６は、別の無線通信端末２０から取得したＷｅｂデータを用いて画面表示を行う場合は、画面上に、表示されるＷｅｂページが別の無線通信端末２０から取得されていることを提示することができる。これは、別の無線通信端末２０から取得されたＷｅｂデータは、最新ではない可能性があり、このことをユーザに通知するためである。なお、画面上への提示は、ダイアログボックスによって行っても良いし、Ｗｅｂページ上にテキスト表示することによって行っても良い。
【００３７】
［システム動作及び装置動作］
次に、本発明の実施の形態における無線通信端末及びＷｅｂデータ共有システムの動作について図３及び図４を用いて説明する。また、以下の説明においては、適宜図１及び図２を参酌する。また、本実施の形態では、Ｗｅｂデータ共有システム１００を動作させることによって、Ｗｅｂデータ共有方法が実施される。よって、本実施の形態におけるＷｅｂデータ共有方法の説明は、以下のＷｅｂデータ共有システムの動作説明に代える。
【００３８】
まず、図３を用いて、無線通信端末１０の動作について説明する。図３は、本発明の実施の形態における無線通信端末の動作を示すフロー図である。
【００３９】
図３に示すように、まず、無線通信端末１０において、入力部１８を介して、ユーザによるＵＲＬの入力が受け付けられると、キャッシュデータ管理部１２は、目的のＵＲＬのＷｅｂデータを取得するため、記憶部１３にアクセスする（ステップＡ１）。
【００４０】
次に、キャッシュデータ管理部１２は、記憶部１３に、目的のＵＲＬのＷｅｂデータが保持されているかどうかを判定する（ステップＡ２）。ステップＡ２の判定の結果、Ｗｅｂデータが保持されている場合は、キャッシュデータ管理部１２は、記憶部１３からＷｅｂデータを取得し、画面表示部１６に、取得したＷｅｂデータを受け渡し、画面上にＷｅｂページを表示させる（ステップＡ１３）。
【００４１】
ステップＡ２の判定の結果、Ｗｅｂデータが保持されていない場合は、キャッシュデータ管理部１２は、通信制御部１１に対して、ステップＡ１で受け付けられたＵＲＬのＷｅｂデータの取得を要求する。これにより、通信制御部１１は、遠距離通信部１５を用いて、公衆無線ネットワーク３０の通信状況が設定条件を満たしているかどうかを判定する（ステップＡ３）。
【００４２】
ステップＡ３の判定の結果、公衆無線ネットワーク３０の通信状況が設定条件を満たしている場合は、通信制御部１１は、公衆無線ネットワーク３０を経由してＷｅｂサーバ４０からＷｅｂデータを取得する（ステップＡ１４）。
【００４３】
一方、ステップＡ３の判定の結果、公衆無線ネットワーク３０の通信状況が設定条件を満たしていない場合は、従来であれば画面上に「データ取得不可」が表示される。しかしながら、本実施の形態では、通信制御部１１とキャッシュデータ管理部１２とによって、以下のステップＡ４〜Ａ９が実行される。
【００４４】
まず、通信制御部１１は、近距離通信部１５を用いて、周辺に存在する接続可能な無線通信端末の個数を特定を特定する。そして、通信制御部１１は、繰り返し処理のためのパラメータＸの初期値を１、終値を特定した個数の値、増分値を１に設定する（ステップＡ４）。
【００４５】
次に、通信制御部１１は、近距離通信部１５を用いた近距離通信方式によって、周辺に存在する接続可能な無線通信端末の１つとの通信を確立する（ステップＡ５）。
【００４６】
次に、ステップＡ５によって通信が確立されると、通信制御部１１は、ステップＡ３でのキャッシュデータ管理部１２の要求に応えるため、接続した無線通信端末に対して、ステップＡ１で受け付けられたＵＲＬのＷｅｂデータを要求する（ステップＡ６）。次に、キャッシュデータ管理部１２は、接続した無線通信端末から、要求したＷｅｂデータを受信しているかどうかを判定する（ステップＡ７）。
【００４７】
ステップＡ７の判定の結果、要求したＷｅｂデータを受信している場合は、キャッシュデータ管理部１２は、受信したＷｅｂデータを記憶部１３に格納する（ステップＡ８）。
【００４８】
ステップＡ７の判定の結果、両ＵＲＬが一致していない場合、又はステップＡ８が実行された場合は、パラメータＸの値に１を加算して、再度ステップＡ５が実行される（ステップＡ９）。このように、ステップＡ５〜Ａ８は、周辺に存在する接続可能な無線通信端末の数だけ繰り返し実行される。
【００４９】
次に、ステップＡ５〜Ａ９が終了すると、キャッシュデータ管理部１２は、記憶部に格納したＷｅｂデータにおいて、取得元のＵＲＬが互いに同一となった複数のＷｅｂデータが存在するかどうかを判定する（ステップＡ１０）。
【００５０】
ステップＡ１０の判定の結果、取得元のＵＲＬが互いに同一となった複数のＷｅｂデータが存在する場合は、これらの更新日時を比較し、更新日時が最も新しいＷｅｂデータのみを残し、残りのＷｅｂデータを破棄する（ステップＡ１１）。
【００５１】
その後、ステップＡ１０の判定の結果、取得元のＵＲＬが互いに同一となった複数のＷｅｂデータが存在しない場合、ステップＡ１１が終了した場合は、画面表示部１６は、記憶部１３に格納され、且つ、ステップＡ１で受け付けられたＵＲＬのＷｅｂデータを取得する。そして、画面表示部１６は、取得したＷｅｂデータを用いて、Ｗｅｂページを表示する（ステップＡ１２）。これにより、ユーザは、無線通信端末が公衆無線ネットワーク３０に接続できない場合であっても、希望するＷｅｂデータを取得することができる。
【００５２】
続いて、図４を用いて、無線通信端末１０と無線通信端末２０との連携動作について説明する。図４は、本発明の実施の形態におけるＷｅｂデータ共有システムの動作を示すシーケンス図である。
【００５３】
図４に示すように、先ず、入力部１８は、ユーザが入力したＷｅｂページのＵＲＬを受け付け（ステップＢ１）、キャッシュデータ管理部１２に対して、入力されたＵＲＬのＷｅｂデータが要求されたことを通知する（ステップＢ２）。
【００５４】
次に、キャッシュデータ管理部１２は、記憶部１３に、目的のＵＲＬのＷｅｂデータを確認するよう要求する（ステップＢ３）。これにより、記憶部１３は、確認結果を、キャッシュデータ管理部１２に送信する（ステップＢ４）。このとき、確認結果として、目的のＵＲＬのＷｅｂデータは存在しない旨のメッセージが送信されているとすると、キャッシュデータ管理部１２は、通信制御部１１に対して、Ｗｅｂデータの取得を要求する（ステップＢ５）。
【００５５】
ステップＢ５が実行されると、通信制御部１１は、遠距離通信部１５を用いて、公衆無線ネットワーク３０の通信状況が設定条件を満たしているかどうかを判定する。そして、通信制御部１１は、設定条件を満たしていない場合は、近距離通信部１５を用いて、周辺に存在する接続可能な無線通信端末の個数を特定を特定する。続いて、通信制御部１１は、近距離通信部１５を用いた近距離通信方式によって、周辺に存在する接続可能な無線通信端末の１つとの通信を確立する。
【００５６】
なお、図４においては、公衆無線ネットワーク３０の通信状況は設定条件を満たしていないとし、上記の判定処理、周辺の無線通信端末の個数の特定処理、通信確立のための処理については図示を省略する。また、無線通信端末１０は、無線通信端末２０との間で近距離通信方式による通信を確立しているとする。
【００５７】
次に、通信制御部１１は、ステップＢ５でのキャッシュデータ管理部１２の要求に応えるため、接続した無線通信端末２０に対して、ステップＢ１で受け付けられたＵＲＬのＷｅｂデータを要求する（ステップＢ６）。
【００５８】
ステップＢ６が実行されると、無線通信端末２０では、通信制御部２１が、無線通信端末１０からのＷｅｂデータの要求を受けとり、キャッシュデータ管理部２２に対して、Ｗｅｂデータの要求を通知する（ステップＢ７）。
【００５９】
次に、キャッシュデータ管理部２２は、記憶部２３に、目的のＵＲＬのＷｅｂデータを確認するよう要求する（ステップＢ８）。これにより、記憶部２３は、確認結果を、キャッシュデータ管理部２２に送信する（ステップＢ９）。
【００６０】
ステップＢ９において、確認結果として、目的のＵＲＬのＷｅｂデータは存在する旨のメッセージが送信されているとすると、キャッシュデータ管理部２２は、非共有Ｗｅｂデータでないことを条件に、通信制御部２１に対して、Ｗｅｂデータの送信を指示する（ステップＢ１０）。
【００６１】
また、図４には図示されていないが、目的のＵＲＬのＷｅｂデータは存在する場合は、キャッシュデータ管理部２２は、このＷｅｂデータに対して、構文解析を行い、解析結果から、関連するＷｅｂページを特定する。そして、キャッシュデータ管理部２２は、記憶部２３に、関連するＷｅｂページのＷｅｂデータについても確認するよう要求する。確認の結果、関連するＷｅｂページのＷｅｂデータも存在する場合は、ステップＢ１０において、キャッシュデータ管理部２２は、通信制御部２１に対して、関連するＷｅｂページのＷｅｂデータの送信も指示する。
【００６２】
ステップＢ１０が実行されると、通信制御部２１は、無線通信端末１０に対して、Ｗｅｂデータを送信する（ステップＢ１１）。
【００６３】
次に、無線通信端末１０では、通信制御部１１が、送信されてきたＷｅｂデータを受信し、これをキャッシュデータ管理部１２に送信する（ステップＢ１２）。なお、上述のステップＢ６〜Ｂ１２は、無線通信端末１０の周辺に存在する無線通信端末の数だけ、繰り返し実行される。
【００６４】
次に、キャッシュデータ管理部１２は、送信されてきたＷｅｂデータを、画面表示部１６に送信する（ステップＢ１３）。これにより、画面表示部１６は、表示装置１７の表示画面に、Ｗｅｂページを表示するので、Ｗｅｂページがユーザに提示される（ステップＢ１４）。続いて、キャッシュデータ管理部１２は、送信されてきたＷｅｂデータを、記憶部１３に送信し、格納させる（ステップＢ１５）。
【００６５】
［実施の形態の効果］
以上のように、本実施の形態によれば、通信切断、電波強度の低下、Ｗｅｂサーバでの障害の発生等によって、公衆無線ネットワーク３０を介してＷｅｂデータを取得できない状況となっても、各無線通信端末は、別の無線通信端末から、Ｗｅｂデータを取得することができる。従って、ユーザは、地震などの災害直後や、大勢の人が集まるイベント会場においても、アクセスしたいＷｅｂサイトの情報を取得することができる。
【００６６】
また、各無線端末は、要求する側と要求される側とのいずれともなるため、１つの無線通信端末が特定のＷｅｂデータを保持していれば、特定のＷｅｂデータは、周辺に存在する他の無線通信端末においても取得されることとなる。
【００６７】
更に、本実施の形態では、Ｗｅｂデータが要求された無線通信端末は、要求されたＷｅｂデータにリンクするＷｅｂデータも送信することができるため、ユーザは、希望するＷｅｂサイトの全体のＷｅｂデータを、高速、且つ、確実に取得することができる。
【００６８】
［プログラム］
本発明の実施の形態におけるプログラムは、無線通信端末に搭載されたコンピュータに、図３に示すステップＡ１〜Ａ１２、図４に示すステップＢ１〜Ｂ１５を実行させるプログラムであれば良い。このプログラムをコンピュータにインストールし、実行することによって、本実施の形態における無線通信端末を実現することができる。この場合、コンピュータのＣＰＵ（Central Processing Unit）は、通信制御部１１、キャッシュデータ管理部１２、及び画面表示部１６として機能し、処理を行なう。
【００６９】
ここで、本実施の形態におけるプログラムを実行可能な無線通信端末の具体例について説明する。図５は、本発明の実施の形態における無線通信端末の物理的構成の一例を示すブロック図である。
【００７０】
図５に示すように、無線通信端末１１０は、ＣＰＵ１１１と、メモリ１１２と、表示装置１１３と、データリーダライタ１１４と、遠距離通信モジュール１１５と、近距離通信モジュール１１６と、タッチパネル１１７とを備えている。これらは、バス１１８を介して互いにデータ通信可能に接続される。
【００７１】
ＣＰＵ１１１は、記憶装置１１３に格納された、本実施の形態におけるプログラム（コード）をメモリ１１２に展開し、これらを所定順序で実行することにより、各種の演算を実施する。メモリ１１２は、典型的には、ＤＲＡＭ（Dynamic Random Access Memory）等の揮発性のメモリである。
【００７２】
データリーダ／ライタ１１４は、ＣＰＵ１１１と記録媒体１１９との間のデータ伝送を仲介し、記録媒体１１９からのプログラムの読み出し、及び無線通信端末１１０における処理結果の記録媒体１１９への書き込みを実行する。また、本実施の形態におけるプログラムは、記録媒体１１９に格納された状態で提供されても良いし、遠距離通信モジュール１１５を介して接続されたインターネット上から送信されてきても良い。記録媒体１１９の具体例としては、ＣＦ（Compact Flash（登録商標））及びＳＤ（Secure Digital）等の汎用的な半導体記憶デバイスが挙げられる。
【００７３】
タッチパネル１１７は、ユーザの入力を受け付ける入力機器である。表示装置１１３は、液晶表示装置等の表示装置である。遠距離通信モジュール１１５は、無線ＬＡＮによる通信、携帯電話網を利用した通信を実現する通信モジュールである。近距離通信モジュール１１６は、Ｂｌｕｅｔｏｏｔｈ（登録商標）、ＷｉＦｉ  Ｄｉｒｅｃｔ等の近距離通信方針による通信を実現する通信モジュールである。
【００７４】
上述した実施の形態の一部又は全部は、以下に記載する（付記１）〜（付記１５）によって表現することができるが、以下の記載に限定されるものではない。
【００７５】
（付記１）
公衆無線ネットワークを介して通信可能な無線通信端末であって、
前記公衆無線ネットワークの通信状況を特定し、特定した通信状況が設定条件を満たしていない場合に、近距離通信方式によって、別の無線通信端末との通信を確立する、通信制御部と、
前記近距離通信方式によって前記別の無線通信端末との通信が確立された場合に、前記別の無線通信端末に対して、それが保持しているＷｅｂページのデータを要求し、要求が認められた場合に、前記データを取得する、キャッシュデータ管理部と、
を備えていることを特徴とする無線通信端末。
【００７６】
（付記２）
前記キャッシュデータ管理部は、近距離通信方式によって当該無線通信端末との間で通信を確立している他の無線通信端末から、当該無線通信端末が保持しているＷｅｂページのデータを要求された場合に、要求された前記データに対して共有を許可していることを条件に、要求を許可する、
付記１に記載の無線通信端末。
【００７７】
（付記３）
前記キャッシュデータ管理部は、当該無線通信端末がＷｅｂページから取得したデータに対して秘密保持が求められている場合は、前記秘密保持が求められているデータについては、共有を許可しない、
付記２に記載の無線通信端末。
【００７８】
（付記４）
前記キャッシュデータ管理部は、前記別の無線通信端末から取得した前記データのＷｅｂページが、当該無線通信端末が保持しているデータのＷｅｂページと一致する場合に、前記別の無線通信端末から取得した前記データの更新日時と当該無線通信端末が保持しているデータの更新日時とを比較し、
比較の結果、当該無線通信端末が保持しているデータの更新日時が新しい場合に、前記別の無線通信端末に対して、当該無線通信端末が保持しているデータを送信する、
付記１〜３のいずれかに記載の無線通信端末。
【００７９】
（付記５）
前記キャッシュデータ管理部が、要求を許可する場合に、更に、要求された前記データに対して構文解析を行って、関連するＷｅｂページを特定し、前記関連するＷｅｂページデータについても要求を許可する、
付記２または３に記載の無線通信端末。
【００８０】
（付記６）
前記設定条件が、当該無線通信端末が受信している電波についての条件、指定されたＷｅｂページを提供するＷｅｂサーバについての条件を含む、
付記１〜５のいずれかに記載の無線通信端末。
【００８１】
（付記７）
前記別の無線通信端末から取得したデータを用いて画面表示を行う場合に、画面上に、表示されるＷｅｂページが前記別の無線通信端末から取得されていることを提示する、画面表示部を更に備えている、
付記１〜６のいずれかに記載の無線通信端末。
【００８２】
（付記８）
公衆無線ネットワークを介して通信可能な複数の無線通信端末を備え、
前記複数の無線通信端末それぞれは、
前記公衆無線ネットワークの通信状況を特定し、特定した通信状況が設定条件を満たしていない場合に、近距離通信方式によって、別の無線通信端末との通信を確立し、
前記近距離通信方式によって前記別の無線通信端末との通信が確立された場合に、前記別の無線通信端末に対して、それが保持しているＷｅｂページのデータを要求し、要求が認められた場合に、前記データを取得する、
ことを特徴とするＷｅｂデータ共有システム。
【００８３】
（付記９）
前記複数の無線通信端末それぞれは、近距離通信方式によって当該無線通信端末との間で通信を確立している他の無線通信端末から、当該無線通信端末が保持しているＷｅｂページのデータを要求された場合に、要求された前記データに対して共有を許可していることを条件に、要求を許可する、
付記８に記載のＷｅｂデータ共有システム。
【００８４】
（付記１０）
前記複数の無線通信端末それぞれは、当該無線通信端末がＷｅｂページから取得したデータに対して秘密保持が求められている場合は、前記秘密保持が求められているデータについては、共有を許可しない、
付記９に記載のＷｅｂデータ共有システム。
【００８５】
（付記１１）
前記複数の無線通信端末それぞれは、前記別の無線通信端末から取得した前記データのＷｅｂページが、当該無線通信端末が保持しているデータのＷｅｂページと一致する場合に、前記別の無線通信端末から取得した前記データの更新日時と当該無線通信端末が保持しているデータの更新日時とを比較し、
比較の結果、当該無線通信端末が保持しているデータの更新日時が新しい場合に、前記別の無線通信端末に対して、当該無線通信端末が保持しているデータを送信する、
付記８〜１０のいずれかに記載のＷｅｂデータ共有システム。
【００８６】
（付記１２）
前記複数の無線通信端末それぞれは、要求を許可する場合に、更に、要求された前記データに対して構文解析を行って、関連するＷｅｂページを特定し、前記関連するＷｅｂページデータについても要求を許可する、
付記９または１０に記載のＷｅｂデータ共有システム。
【００８７】
（付記１３）
前記設定条件が、当該無線通信端末が受信している電波についての条件、指定されたＷｅｂページを提供するＷｅｂサーバについての条件を含む、
付記８〜１２のいずれかに記載のＷｅｂデータ共有システム。
【００８８】
（付記１４）
前記複数の無線通信端末それぞれは、前記別の無線通信端末から取得したデータを用いて画面表示を行う場合に、画面上に、表示されるＷｅｂページが前記別の無線通信端末から取得されていることを提示する、
付記８〜１３のいずれかに記載のＷｅｂデータ共有システム。
【００８９】
（付記１５）
公衆無線ネットワークを介して通信可能な複数の無線通信端末を用いたＷｅｂデータの共有方法であって、
（ａ）前記複数の無線通信端末の少なくとも１つによって、前記公衆無線ネットワークの通信状況を特定し、特定した通信状況が設定条件を満たしていない場合に、近距離通信方式によって、別の無線通信端末との通信を確立する、ステップと、
（ｂ）前記複数の無線通信端末の少なくとも１つによって、前記近距離通信方式によって前記別の無線通信端末との通信が確立された場合に、前記別の無線通信端末に対して、それが保持しているＷｅｂページのデータを要求し、要求が認められた場合に、前記データを取得する、ステップと、
を有することを特徴とするＷｅｂデータ共有方法。
【００９０】
（付記１６）
（ｃ）前記複数の無線通信端末の少なくとも１つが、近距離通信方式によって当該無線通信端末との間で通信を確立している他の無線通信端末から、当該無線通信端末が保持しているＷｅｂページのデータを要求された場合に、当該無線通信端末によって、要求された前記データに対して共有を許可していることを条件に、要求を許可する、ステップを、更に有している、
付記１５に記載のＷｅｂデータ共有方法。
【００９１】
（付記１７）
前記複数の無線通信端末の少なくとも１つは、当該無線通信端末がＷｅｂページから取得したデータに対して秘密保持が求められている場合は、前記秘密保持が求められているデータについては、共有を許可しない、
付記１６に記載のＷｅｂデータ共有方法。
【００９２】
（付記１８）
（ｄ）前記複数の無線通信端末の少なくとも１つによって、前記別の無線通信端末から取得した前記データのＷｅｂページが、当該無線通信端末が保持しているデータのＷｅｂページと一致する場合に、前記別の無線通信端末から取得した前記データの更新日時と当該無線通信端末が保持しているデータの更新日時とを比較し、
比較の結果、当該無線通信端末が保持しているデータの更新日時が新しい場合に、前記別の無線通信端末に対して、当該無線通信端末が保持しているデータを送信する、ステップを、更に有している、
付記１５〜１７のいずれかに記載のＷｅｂデータ共有方法。
【００９３】
（付記１９）
前記（ｃ）のステップにおいて、当該無線通信端末は、要求を許可する場合に、更に、要求された前記データに対して構文解析を行って、関連するＷｅｂページを特定し、前記関連するＷｅｂページデータについても要求を許可する、
付記１６または１７に記載のＷｅｂデータ共有方法。
【００９４】
（付記２０）
前記設定条件が、当該無線通信端末が受信している電波についての条件、指定されたＷｅｂページを提供するＷｅｂサーバについての条件を含む、
付記１５〜１９のいずれかに記載のＷｅｂデータ共有方法。
【００９５】
（付記２１）
（ｅ）前記複数の無線通信端末の少なくとも１つによって、前記別の無線通信端末から取得したデータを用いて画面表示を行う場合に、画面上に、表示されるＷｅｂページが前記別の無線通信端末から取得されていることを提示する、ステップを、更に有している、
付記１５〜２０のいずれかに記載のＷｅｂデータ共有方法。
【００９６】
（付記２２）
複数のコンピュータ間でＷｅｂデータを共有するためのプログラムであって、
前記複数のコンピュータの１つに、
（ａ）前記公衆無線ネットワークの通信状況を特定し、特定した通信状況が設定条件を満たしていない場合に、近距離通信方式によって、別のコンピュータとの通信を確立する、ステップと、
（ｂ）前記近距離通信方式によって前記別のコンピュータとの通信が確立された場合に、前記別のコンピュータに対して、それが保持しているＷｅｂページのデータを要求し、要求が認められた場合に、前記データを取得する、ステップと、
を実行させるプログラム。
【００９７】
（付記２３）
前記複数のコンピュータの１つに、
（ｃ）当該コンピュータが、近距離通信方式によって当該コンピュータとの間で通信を確立している他のコンピュータから、当該コンピュータが保持しているＷｅｂページのデータを要求された場合に、要求された前記データに対して共有を許可していることを条件に、要求を許可する、ステップを、更に実行させる、
付記２２に記載のプログラム。
【００９８】
（付記２４）
当該コンピュータは、当該コンピュータがＷｅｂページから取得したデータに対して秘密保持が求められている場合は、前記秘密保持が求められているデータについては、共有を許可しない、
付記２３に記載のプログラム。
【００９９】
（付記２５）
前記複数のコンピュータの１つに、
（ｄ）前記別のコンピュータから取得した前記データのＷｅｂページが、当該コンピュータが保持しているデータのＷｅｂページと一致する場合に、前記別のコンピュータから取得した前記データの更新日時と当該コンピュータが保持しているデータの更新日時とを比較し、
比較の結果、当該コンピュータが保持しているデータの更新日時が新しい場合に、前記別のコンピュータに対して、当該コンピュータが保持しているデータを送信する、ステップを、更に実行させる、
付記１〜３いずれかに記載のプログラム。
【０１００】
（付記２６）
前記（ｃ）のステップにおいて、要求を許可する場合に、更に、要求された前記データに対して構文解析を行って、関連するＷｅｂページを特定し、前記関連するＷｅｂページデータについても要求を許可する、
付記２３または２４に記載のプログラム。
【０１０１】
（付記２７）
前記設定条件が、当該コンピュータが受信している電波についての条件、指定されたＷｅｂページを提供するＷｅｂサーバについての条件を含む、
付記２２〜２６のいずれかに記載のプログラム。
【０１０２】
（付記２８）
前記複数のコンピュータの１つに、
（ｅ）前記別のコンピュータから取得したデータを用いて画面表示を行う場合に、画面上に、表示されるＷｅｂページが前記別のコンピュータから取得されていることを提示する、ステップを、更に実行させる、
付記２２〜２７のいずれかに記載のプログラム。
【産業上の利用可能性】
【０１０３】
以上のように、本発明によれば、無線通信端末において、公衆無線ネットワークが利用できない状況にあっても、Ｗｅｂデータの取得が可能となる。本発明は、携帯電話、スマートフォン、タブレット型端末等に有用である。
【符号の説明】
【０１０４】
１０  無線通信端末
１１  通信制御部
１２  キャッシュ管理部
１３  記憶部
１３ａ  非共有Ｗｅｂデータ
１３ｂ  共有Ｗｅｂデータ
１４  遠距離通信部
１５  短距離通信部
１６  画面表示部
１７  表示装置
１８  入力部
２０  無線通信端末
２１  通信制御部
２２  キャッシュ管理部
２３  記憶部
２３ａ  非共有Ｗｅｂデータ
２３ｂ  共有Ｗｅｂデータ
２４  遠距離通信部
２５  短距離通信部
２６  画面表示部
２７  表示装置
２８  入力部
３０  公衆無線ネットワーク
４０  Ｗｅｂサーバ
１００  Ｗｅｂデータ共有システム
１１０  無線通信端末
１１１  ＣＰＵ
１１２  メモリ
１１３表示装置
１１４  データリーダ/ライタ
１１５  遠距離通信モジュール
１１６  近距離通信モジュール
１１７  タッチパネル
１１８  バス
１１９  記憶媒体
【図１】
2015186025.tif 000003
【図２】
2015186025.tif 000004
【図３】
2015186025.tif 000005
【図４】
2015186025.tif 000006
【図５】
2015186025.tif 000007